(57)【要約】【課題】保護回路が動作しない電流上昇を伴う異常を検出することが可能な表示装置を提供する。【解決手段】電源回路１０２からの電力によって駆動される表示回路を有する表示装置１００であって、表示回路への供給電流を測定する電流測定回路１０３と、表示回路が表示処理する所定のパターンを生成するパターン生成部１０４と、パターン生成部１０４により生成した所定のパターンを表示回路が表示処理した際に、前記電流測定回路で測定した測定電流値を基準電流値として予め記憶する電流値記憶部１０６と、表示回路の異常を判定する判定制御部１０５と、を備え、判定制御部１０５は、パターン生成部１０４が生成する所定のパターンを表示回路に表示処理させ電流測定回路１０３で測定される測定電流値と基準電流値とに基いて、表示回路の異常を判定する。【選択図】図１
2018133631.tif 000002
【特許請求の範囲】
【請求項１】
電源回路と、該電源回路からの電力によって駆動される表示回路を有する表示装置であって、
前記表示回路への供給電流の大きさを測定する電流測定回路と、
前記表示回路が表示処理する所定のパターンを生成するパターン生成部と、
前記パターン生成部により生成した前記所定のパターンを前記表示回路が表示処理した際に、前記電流測定回路で測定した測定電流値を基準電流値として予め記憶する電流値記憶部と、
前記表示回路の異常を判定する判定制御部と、
を備え、
前記判定制御部は、前記パターン生成部が生成する前記所定のパターンを前記表示回路に表示処理させ前記電流測定回路で測定される測定電流値と前記基準電流値とに基いて、前記表示回路の異常を判定することを特徴とする、表示装置。
【請求項２】
前記基準電流値は、前記表示装置の製造時における前記測定電流値である、請求項１に記載の表示装置。
【請求項３】
前記パターン生成部は、前記表示装置の電源投入操作時または電源切断操作時に前記表示回路が表示処理する前記所定のパターンを生成する、請求項１または２に記載の表示装置。
【請求項４】
前記表示回路は、液晶パネルを含む、請求項１から３のいずれか１に記載の表示装置。
【請求項５】
前記パターン生成部は、前記液晶パネルに光を供給するバックライトが消灯している間に前記所定のパターンを生成する、請求項４に記載の表示装置。
【請求項６】
請求項１から５のいずれか一項に記載の表示装置を備える、テレビジョン受信機。
【請求項７】
電源回路と、該電源回路からの電力によって駆動される表示回路を有する表示装置の異常判定方法であって、
前記表示装置が、予め所定のパターンを前記表示回路に表示処理させた際に測定された前記表示回路への供給電流の大きさを基準電流値として記憶するステップと、
前記表示装置が、前記所定のパターンを前記表示回路に表示処理させた際に測定された前記表示回路への供給電流の測定値と前記基準電流値とに基いて前記表示回路の異常を判定する、ことを含む表示装置の異常判定方法。
【発明の詳細な説明】
【技術分野】
【０００１】
本発明は、表示装置、テレビジョン受信機および表示装置の異常判定方法に関し、特に、表示装置の有する表示回路への供給電流に基いて異常を検出する表示装置、テレビジョン受信機および表示装置の異常判定方法に関する。
【背景技術】
【０００２】
テレビジョン放送の受信映像信号やパーソナルコンピュータの出力映像信号などを表示する表示回路を備える表示装置が知られている。そのような表示装置に関し、様々な映像パターンを表示する際における消費電力の広範囲な増減に対応できる設計がされている。また、表示装置の製造段階においても、設計通りに製造されたかどうかについて検査がされ（例えば特許文献１参照。）、電力消費の不良を有する製品が出荷されないようになっている。
【０００３】
また、表示装置の出荷後の使用において、回路の短絡等の異常が発生し、大電流が流れる場合には、電源回路の保護回路が動作し、不安全な状態が発生しないようになっている。
【先行技術文献】
【特許文献】
【０００４】
【特許文献１】特開平９−２６５０７６号公報
【発明の概要】
【発明が解決しようとする課題】
【０００５】
しかしながら、回路の短絡等の異常が発生しても、常に大電流が流れるわけではない。このため、一部の回路において短絡が発生しても通常使用範囲内での電流の上昇にとどまる場合、保護回路が動作せず、使用が継続されてしまう。例えば、表示装置として液晶パネルを含む表示回路が使用されている場合に、画素の一部の薄膜トランジスタ（ＴＦＴ（Ｔｈｉｎ  Ｆｉｌｍ  Ｔｒａｎｓｉｓｔｏｒ））に何らかの理由により不具合が発生し、不具合を有するＴＦＴを経由して短絡電流が流れたとしても通常の使用範囲の電流上昇であれば、不具合が発生したＴＦＴを含む部分の温度が異常に上昇しても表示装置の動作が継続され、不安全な事態を招きかねない。
【０００６】
本発明は、上述のような実情に鑑みてなされたものであり、その目的は、保護回路が動作しない電流上昇を伴う異常を検出することが可能な表示装置、テレビジョン受信機および表示装置の異常判定方法を提供することにある。
【課題を解決するための手段】
【０００７】
上記課題を解決するために、第１の技術手段は、電源回路と、該電源回路からの電力によって駆動される表示回路を有する表示装置であって、前記表示回路への供給電流の大きさを測定する電流測定回路と、前記表示回路が表示処理する所定のパターンを生成するパターン生成部と、前記パターン生成部により生成した前記所定のパターンを前記表示回路が表示処理した際に、前記電流測定回路で測定した測定電流値を基準電流値として予め記憶する電流値記憶部と、前記表示回路の異常を判定する判定制御部と、を備え、前記判定制御部は、前記パターン生成部が生成する前記所定のパターンを前記表示回路に表示処理させ前記電流測定回路で測定される測定電流値と前記基準電流値とに基いて、前記表示回路の異常を判定することを特徴とする、表示装置である。
【０００８】
第２の技術手段は、第１の技術手段において、前記基準電流値は、前記表示装置の製造時における前記測定電流値であることを特徴とする。
【０００９】
第３の技術手段は、第１または第２の技術手段において、前記パターン生成部は、前記表示装置の電源投入操作時または電源切断操作時に前記所定のパターンを生成して前記表示回路に表示させることを特徴とする。
【００１０】
第４の技術手段は、第１から第３のいずれかの技術手段において、前記表示回路は、液晶パネルを含むことを特徴とする。
【００１１】
第５の技術手段は、第４の技術手段において、前記パターン生成部は、前記液晶パネルに光を供給するバックライトが消灯している間に前記所定のパターンを前記液晶パネルに表示させることを特徴とする。
【００１２】
第６の技術手段は、第１から第５のいずれかの技術手段のいずれかによる表示装置を備える、テレビジョン受信機である。
【００１３】
第７の技術手段は、電源回路と、該電源回路からの電力によって駆動される表示回路を有する表示装置の異常判定方法であって、前記表示装置が、予め前定のパターンを前記表示回路に表示処理させた際に測定された前記表示回路への供給電流の大きさを基準電流値として記憶するステップと、前記表示装置が、前記所定のパターンを前記表示回路に表示処理させた際に測定された前記表示回路への供給電流の測定値と前記基準電流値とに基いて前記表示回路の異常を判定する、ことを含む表示装置の異常判定方法である。
【発明の効果】
【００１４】
本発明によれば、保護回路が動作しない電流上昇を伴う異常を検出することが可能となる。
【図面の簡単な説明】
【００１５】
【図１】本発明の一実施形態に係る表示装置の一例を示す図である。
【図２】本発明の一実施形態に係る表示装置が備える表示回路の構成の一例を示す図である。
【図３】本発明の一実施形態に係る表示装置が備える電源回路の構成の一例を示す図である。
【図４】本発明の一実施形態に係る表示装置が備える制御回路の構成の一例を示す図である。
【図５】本発明の一実施形態に係る表示装置が備える制御回路の動作フローの一例を示す図である。
【図６】本発明の一実施形態に係る表示装置が備える制御回路が表示回路の異常を判定した後の異常検出時処理の一例を説明する図である。
【発明を実施するための形態】
【００１６】
以下、図面を参照しながら、本発明の表示装置、テレビジョン受信機および表示回路の異常判定方法に係る好適な形態について説明する。ただし、本発明は、その要旨を逸脱しない範囲において、種々の変更を行なっても実施可能であり、以下の説明に限定されて解釈されることはないものである。
【００１７】
（実施形態１）
図１は、本発明の一実施形態に係る表示装置の一例を示す図である。一実施形態に係る表示装置は、電源回路と、電源回路からの電力によって駆動される表示回路を有する。一例としては、図１に示すように一実施形態に係る表示装置１００は、表示回路１０１と、電源回路１０２と、電流測定回路１０３と、制御回路１０７と、映像信号入力部１１０とを備える。
【００１８】
表示回路１０１は、テレビジョン放送の受信映像信号やパーソナルコンピュータの出力映像信号などを表示する処理を行なう。したがって、表示回路１０１にチューナを接続したり内蔵させたりし映像信号入力部１１０に入力し、また、テレビジョン放送のチューナからの音声信号を出力するスピーカやイアフォンを接続したり内蔵させたりすることにより、表示回路１０１を備えるテレビジョン受信機を得ることができる。また、表示回路１０１がパーソナルコンピュータに接続されたり、パーソナルコンピュータを内蔵したりし、映像信号入力部１１０に入力される映像信号を表示することにより、パーソナルコンピュータのモニターを得ることができる。受信映像信号および出力映像信号は、アナログ信号であっても、デジタル信号であってもよい。
【００１９】
表示回路１０１の行なう、受信映像信号や出力映像信号などを表示する処理には、受信映像信号や出力映像信号に基いて、映像を処理する映像処理および表示回路１０１が映像を表示するために動作させるサブ回路等の制御を含む。映像処理には、映像のコントラスト、明るさおよびシャープネスなどの映像の表示態様を変化させる処理を含み、また、映像信号が複数のフレームを含む場合に、フレーム補間のようにフレームとフレームとの間のサブフレームの映像を新たに生成することを含み得る。受信映像信号や出力映像信号などを表示するための処理を、「表示処理」という場合がある。また、表示回路１０１が映像を表示するために動作させるサブ回路等とは、映像を視聴者に視認可能に表示する回路である。サブ回路等には、例えば、ブラウン管、液晶パネル、有機ＥＬ（Ｅｌｅｃｔｒｏ  Ｌｕｍｉｎｅｓｃｅｎｃｅ）パネルなどを挙げることができ、また、これらのサブ回路等は、表示回路１０１の一部を構成する。本発明の表示装置１００としては、液晶パネルを備える表示回路１０１を用いて表示処理を行なう液晶表示装置が好適な例として挙げることができる。
【００２０】
図２は、本発明の一実施形態に係る表示装置が備える表示回路の構成の一例を示す図である。図２には、表示装置１００として、液晶パネルを備える表示回路１０１の構成の一例が示されている。表示回路１０１は、表示制御回路２０１と、ソースドライバ２０２と、ゲートドライバ２０３と、液晶パネル２０４とを備える。また、表示回路１０１は、液晶パネル２０４に光を供給するバックライト２０５と、表示制御回路２０１の制御にしたがってバックライト２０５を制御するバックライト制御回路２０６を備える。
【００２１】
液晶パネル２０４は、ソースドライバ２０２に接続される複数本のソース線２１１ｍ（ｍは、１以上ソース線数以下の整数）と、ゲートドライバ２０３に接続される複数本のゲート線２１２ｎ（ｎは、１以上ゲート線数以下の整数）と、が交差して構成されている。ソース線２１１ｍとゲート線２１２ｎとが交差している位置には、画素が構成されており、図２に示すように、ＴＦＴ２１３ｍｎと画素電極２１４ｍｎとが配置されている。ＴＦＴ２１３ｍｎのゲート電極は、ゲート線２１２ｎに接続されている。また、ＴＦＴ２１３ｍｎのソースとドレインとは、ソース線２１１ｍと画素電極２１４ｍｎとに接続されている。
【００２２】
ゲート線２１２ｎにゲート電極が接続されているＴＦＴ２１３ｍｎが選択されると、ＴＦＴ２１３ｍｎがオン状態となり、ソース線２１１ｍから供給されるデータ電圧が、画素の輝度を表す電圧として画素電極２１４ｍｎに印可される。画素電極２１４ｍｎは、図示されていない対向電極との間で液晶材料を挟持しており、供給されるデータ電圧に応じて液晶材料による偏光特性が変化し、バックライト２０５から発生する光の透過量を制御する。なお、画素電極２１４ｍｎと対向電極との間の液晶材料に並列して保持容量が配置されていてもよく、保持容量によりＴＦＴ２１３ｎｍが選択されていない間においてもデータ電圧が画素電極２１４ｍｎに印可され続けるようになっていてもよい。
【００２３】
したがって、表示処理により液晶パネル２０４へ供給される電流は、主に、ソースドライバ２０２およびゲートドライバ２０３により、ソース線２１１ｍおよびゲート線２１２ｎ経由で供給される。
【００２４】
表示制御回路２０１は、表示回路１０１に映像信号入力部１１０または制御回路１０７から供給される映像信号に基いて、ソースドライバ２０２、ゲートドライバ２０３およびバックライト制御回路２０６を制御する。一例として、液晶パネル２０４に映像を視認可能に表示するには、表示制御回路２０１は、バックライト制御回路２０６を介してバックライト２０５をオンにしてバックライト２０５から液晶パネル２０４に光を供給し、ゲートドライバ２０３がゲート線２１２ｎを順次選択するように制御信号を送出し、また、ソースドライバ２０２が、ソース線２１１ｍおよび選択されたゲート線２１２ｎに接続されたＴＦＴ２１３ｍｎを介して、データ電圧を画素電極２１４ｍｎに供給するように制御信号を送出する。なお、バックライト２０５は複数の発光領域を含み、複数の発光領域のそれぞれの発光量を制御するローカルディミング制御がおこなわれていてもよい。
【００２５】
なお、液晶パネル２０４は、液晶材料および液晶パネル２０４を挟持する１組の偏光板の特性により、画素電極２１４ｎｍに電圧が印可されていなければバックライト２０５からの光が遮断されるノーマリーブラックタイプと、画素電極２１４ｎｍに電圧が印可されていなければバックライト２０５からの光を透過させるノーマリーホワイトタイプとに、分類される。このため、ノーマリーブラックタイプであれば、全体が黒の映像を表示回路１０１が表示処理する場合に、ソースドライバ２０２およびゲートドライバ２０３により液晶パネル２０４に供給される電流値は最小となり、全体が白の映像を表示回路１０１が表示処理する場合に、ソースドライバ２０２およびゲートドライバ２０３により液晶パネル２０４に供給される電流値は最大となり得る。
【００２６】
電源回路１０２は、表示回路１０１に電力を供給する。電源回路１０２から供給された電力により表示回路１０１が駆動される。なお、図２に示すように、表示回路１０１が液晶パネル２０４を含む場合には、図２には図示されていないが、表示制御回路２０１、ソースドライバ２０２、ゲートドライバ２０３およびバックライト制御回路２０６それぞれに電力を電源回路１０２から供給する、それぞれの電力供給線が表示回路１０１に設けられている。なお、液晶パネル２０４に供給される電力は、主にソースドライバ２０２およびゲートドライバ２０３からソース線２１１ｍおよびゲート線２１２ｎにより電力が供給される。バックライト２０５には、バックライト制御回路２０６を介して電力が供給される。なお、電源回路１０２からは電圧がほぼ一定の直流が供給されるとすると、電力量は電流量とすることができる。
【００２７】
図３は、電源回路１０２の構成の一例を示す図である。電源回路１０２は、例えばＬＬＣ回路として構成することが可能である。図３に示すように、電源回路１０２は、ハーフブリッジ型の回路として構成され、第１スイッチング素子３０１および第２スイッチング素子３０２の２つのスイッチング素子と、直列共振用のコンデンサ３０５と、一次コイル３０４、二次コイル３０６および３０７を有するトランスと、２つの整流用ダイオード３０８および３０９と、第１スイッチング素子３０１および第２スイッチング素子３０２をそれぞれオンオフ制御するＬＬＣ  ＩＣ３０３を備えている。
【００２８】
電源回路１０２の入力端子３２０1および３２０2間には、所定の電圧の直流が印可され、パワーＭＯＳトランジスタからなる第１スイッチング素子３０１のドレイン・ソースと、第２スイッチング素子３０２のドレイン・ソースとが接続されている。ＬＬＣ  ＩＣ３０３の出力信号は、第１スイッチング素子３０１および第２スイッチング素子３０２のゲートに供給される。第１スイッチング素子３０１および第２スイッチング素子３０２が接続されている箇所には、トランスの一次コイル３０４とコンデンサ３０５の直列回路の一方の端子が接続され、トランスの一次コイル３０４とコンデンサ３０５の直列回路の他方の端子は、第２スイッチング素子３０２のソース側に接続されている。トランスの結合係数を小さくすることにより漏れインダクタンスを大きくし、漏れインダクタンスを共振用インダクタンスとして利用することができる。
【００２９】
トランスの二次コイル３０６および３０７には、整流用ダイオード３０８および３０９のアノードが接続されている。また、整流用ダイオード３０８および３０９のカソードは、整流用コンデンサ３１０の一方の端子に接続され、整流用コンデンサ３１０の他方の端子は、二次コイル３０６および３０７の中間タップに接続される。整流用コンデンサ３１０の両端子に接続される出力端子３２１1と、出力端子３２１2および出力端子３２１3とには、電源回路１０２の入力端子３２０1および３２０2間に印可させるのとは異なる直流電圧を有する直流電流が出力され得る。
【００３０】
そこで、出力端子３２１1を、共通端子（例えばグランドレベル）として用い、例えば出力端子３２１3により、表示制御回路２０１およびバックライト制御回路２０６に直流電流を供給することができ、出力端子３２１2により、ソースドライバ２０２およびゲートドライバ２０３に直流電流を供給することができる。
【００３１】
なお、電源回路１０２は、表示回路１０１に供給する電流量が、通常想定される電流量から所定値を超えるときには、表示回路１０１へ電力を供給しないようにする保護回路（図示せず）を備え得る。あるいは、電源回路１０２とは別に保護回路が備わっている場合もあり得る。
【００３２】
電流測定回路１０３は、電源回路１０２から表示回路１０１へ供給される供給電流の大きさを測定する。一例として、電流測定回路１０３は、出力端子３２１2により、ソースドライバ２０２およびゲートドライバ２０３に供給される電流値の大きさを測定する。
【００３３】
制御回路１０７は、１または複数の特定のパターンの映像信号を生成し、表示回路１０１に出力し、電流測定回路１０３により、電源回路１０２からソースドライバ２０２およびゲートドライバ２０３に供給される電流値を測定し、測定により得られた電流値である測定電流値に基いて、表示回路１０１の異常を判定する回路である。なお、上述したように、ソースドライバ２０２およびゲートドライバ２０３に供給される電流値は、液晶パネル２０４に供給される電流値を含む。また、一般にソースドライバ２０２およびゲートドライバ２０３そのものが表示制御回路２０１からの制御にしたがう動作に伴う消費電流よりも、ソースドライバ２０２およびゲートドライバ２０３からソース線２１１ｍおよびゲート線２１２ｎにより液晶パネル２０４に供給される消費電流の方が大きいので、ソースドライバ２０２およびゲートドライバ２０３に供給される電流値は、液晶パネル２０４に供給される電流値であるとみなすことが可能である。
【００３４】
制御回路１０７は、ハードウェア要素のみを用いて構成することもできる。また、ハードウェア要素にソフトウェア要素（コンピュータプログラム）を組み合わせ、両者を協働させて構成することもできる。図４には、ハードウェア要素にソフトウェア要素を組み合わせ、両者を協働させる場合のハードウェア要素の構成の例を示す。制御回路１０７は、ＣＰＵ（Ｃｅｎｔｒａｌ  Ｐｒｏｃｅｓｓｉｎｇ  Ｕｎｉｔ）４０１と、メモリ４０２と、外部Ｉ／Ｆ４０３とが相互にバス結合されて構成される。ＣＰＵ４０１は、メモリ４０２に記憶されたプログラムを実行し、メモリ４０２にデータを読み書きし、また、外部Ｉ／Ｆ４０３により、制御回路１０７に接続された電流測定回路１０３および表示回路１０１と信号の入出力を行ない、一定の目的を達成するように動作する。
【００３５】
なお、メモリ４０２は、ＣＰＵ４０１により実行されるプログラムにより内容が書き換え可能な領域に加え、書き換え不可能であり読み取り専用の領域との両方を含むことができる。また、メモリ４０２は、制御回路１０７の外部からの電源の供給が停止すると、記憶内容が消去される領域と、制御回路１０７の外部からの電源の供給が停止しても、記憶内容が維持される領域とのいずれかまたは両方を含むことができる。また、メモリ４０２の領域の一部（例えば、図４の符号４１２）を電流値記憶部１０６として使用することができる。
【００３６】
制御回路１０７の動作の一例として、制御回路１０７を、パターン生成部１０４と、判定制御部１０５と、電流値記憶部１０６とを有する回路として実現する動作がある。ここに、パターン生成部１０４は、ＣＰＵ４０１によるプログラムの実行により生成されたり、メモリ４０２に記憶されたりしている所定のパターンを表す映像信号を表示回路１０１に出力する。所定のパターンを表す映像信号を表示回路１０１へ外部Ｉ／Ｆ４０３を介して出力することにより、表示回路１０１は、所定のパターンの表示処理を行なう。なお、表示回路１０１がバックライト２０５を備え、バックライト２０５以外の異常を判定する場合には、バックライト２０５を消灯した状態にする制御信号が外部Ｉ／Ｆ４０３を介して表示回路１０１へ出力されるようにしてもよい。このようにすることにより、パターンは、表示装置１００の使用者に視認されないようにすることができ、使用者に違和感を与えないようにすることができる。また、所定のパターンは一つに限定されることなく、複数あってもよい。
【００３７】
判定制御部１０５は、パターン生成部１０４を制御して表示回路１０１に所定のパターンを表す映像信号を生成し、表示回路１０１に出力させ、電流測定回路１０３より、電源回路１０２から表示回路１０１に供給される供給電流値（測定電流値）を、外部Ｉ／Ｆ４０３を介して取得する。そして、判定制御部１０５は、メモリ４０２の電流値記憶部１０６から基準電流値を読み出し、測定電流値と基準電流値とに基いて、表示回路１０１に異常が無いか否かを判定する。
【００３８】
基準電流値の一例としては、表示装置１００が工場出荷時の品質検査を通過した場合に、実際に表示装置１００を動作させ、表示回路１０１に所定のパターンを表す映像信号を出力して実際に測定された測定電流値とすることができる。基準電流値が表示装置１００ごとに実際に測定された値であれば、表示装置１００が異なれば、異なる基準電流値が電流値記憶部１０６に記憶され得ることになる。
【００３９】
表示装置１００が工場出荷時の品質検査を通過した場合に、測定された電流値を基準電流値として、電流値記憶部１０６に記憶するには、表示装置１００を例えば、基準電流値測定設定モードに設定して行なう。また、表示装置１００は、工場出荷後は、基準電流値測定設定モードに設定されることがないようにする。例えば、工場出荷時の品質検査を通過し表示装置１００を基準電流値測定設定モードに設定した際に実行されたプログラムをメモリ４０２から消去する。このようにすることにより、電流値記憶部１０６に予め記憶された基準電流値が、表示装置１００の市場への流通後は、書き換えられないようにすることができる。
【００４０】
基準電流値を電流値記憶部１０６に記憶させるための、表示装置１００の別の実装例の一例として、表示装置１００の製造時には、電流値記憶部１０６には、基準電流値が未登録であることを意味する、例えば全てのビットが１となるような特別なデータを記憶させておく例がある。この例においては、表示装置１００が品質検査に合格した後に第１回目として制御回路１０７を動作させると、判定制御部１０５は、電流値記憶部１０６に記憶された基準電流値が、上述の特別なデータであることを検出することができる。そこで、判定制御部１０５は、電流値記憶部に記憶された基準電流値が特別なデータであることを検出すると、第１回目として表示回路１０１に所定のパターンを表わす映像信号を出力して測定電流値を取得したと判断し、取得した測定電流値を電流値記憶部１０６に基準電流値として記憶することもできる。この構成により、電流値記憶部１０６に基準電流値を記憶する処理と、基準電流値を読み出し、測定電流値と比較をする処理とをまとめることができる。
【００４１】
図４に示すようにメモリ４０２の一部の領域４１１に、所定のパターンを表すデータまたは生成するプログラムを記憶させておくことができる。この場合、データが記憶されたり生成プログラムが記憶されたりする所定のパターンとしては、「パターンＡ」、「パターンＢ」、・・・のように複数のパターンを記憶させておくことができる。そこで、メモリ４０２の別の一部の領域４１２に、パターンごとに、パターンが表す映像信号が表示回路１０１に出力された場合の測定電流値として、例えば、「パターンＡ」については、値Ｘ、「パターンＢ」については、値Ｙ、・・・を記憶させることができる。データＸ、Ｙ、・・・は、表示装置１００の製造時には特別なデータとしておき、判定制御部１０５は、第１回目として表示回路１０１にパターンを表す映像信号を出力して測定電流値が取得されたと判断できるようにしておく。
【００４２】
図５は、制御回路１０７の制御フロー、言い換えると本実施形態においてはＣＰＵ４０１により実行されるプログラムの動作フローを示す図である。制御回路１０７が動作を開始すると、今が異常判定を行なうべき時であるかどうかを判断する（ステップＳ５０１）。もし、異常判定を行なう必要がない（ＮＯに分岐する場合）と判断されれば、ステップＳ５０１を繰り返すか、異常判定を行なうべき時まで待ち状態に入る。異常判定を行なうべき時の例としては、表示装置１００に対する電源投入の操作により、動作が起動する途中の段階や、表示装置１００に対する電源切断の操作により、動作が停止する途中の段階で行ってもよい。また、表示回路１０１がノーマリーブラックタイプの液晶パネル２０４を有する場合であれば、黒一色の映像の表示処理により（例えば、黒一色の映像は、テレビジョン放送の受信機であれば、チャンネルを変える際に一時的に表示され得る）、バックライト２０５全体が消灯されていることを検出し、異常判定を行なうべき時と判断してもよい。また、上述のようなローカルディミング制御が行なわれているときには、バックライト２０５の複数の領域すべてが消灯した場合に、異常判定を行なうべき時と判断してもよい。
【００４３】
異常判定を行なうべき時であると判断すると（ＹＥＳに分岐する場合）、電流値記憶部１０６（言い換えると、領域４１２）に記憶された電流値（基準電流値）のデータを読み出す（ステップＳ５０２）。次に、基準電流値のデータが、特別なデータであるかどうかを判断する（ステップＳ５０３）。もし、特別なデータであれば（ＹＥＳに分岐する場合）、パターン生成部１０４にパターンの映像信号を表示回路１０１へ出力させ、表示回路１０１に表示処理をさせる（言い換えると、制御回路１０７は、外部Ｉ／Ｆ４０３を介してパターンの映像信号を出力する）（ステップＳ５０４）。
【００４４】
電流測定回路１０３による電流値測定がされ、測定電流値が得られると（ステップＳ５０５）、測定電流値を電流値記憶部１０６（言い換えると、領域４１２）に記憶し（ステップＳ５０６）、処理を終了する。なお、複数のパターンに対応するデータやプログラムが領域４１１に記憶されている場合には、ステップＳ５０４からＳ５０６までのステップを複数回繰り返し実行する。
【００４５】
また、ステップＳ５０３において、基準電流値のデータが特別なデータでなければ（ＮＯに分岐する場合）、ステップＳ５０４と同様に、パターン生成部１０４にパターンの映像信号を生成させ、表示回路１０１に表示処理をさせる（ステップＳ５０７）。電流測定回路１０３による電流値測定がされ、測定電流値が得られると（ステップＳ５０８）、測定電流値と基準電流値とを比較する。比較の結果、基準電流値からの測定電流値の変化が所定の値以下（例えば、測定電流値が基準電流値の１１０％以下）である場合（ＹＥＳに分岐する場合）、処理を終了する。また、基準電流値からの測定電流値の変化が所定の値より大きければ（ＮＯに分岐する場合）、異常検出時処理を行なう（ステップＳ５１０）。なお、複数のパターンに対応するデータやプログラムが領域４１１に記憶されている場合には、ステップＳ５０７からＳ５０９までのステップを複数回繰り返し実行する。なお、一度でもステップＳ５１０のステップが実行されれば、その実行後に再度ステップＳ５１０のステップを繰り返さなくてもよい。
【００４６】
異常検出時処理としては、様々なものを挙げることができる。例えば、制御回路１０７は、表示回路１０１に、映像信号入力部１１０に入力された映像信号の映像を表示させずに、異常がある旨の映像の表示をさせる。この一例において、同じ映像の表示を持続させると、表示回路１０１の異常個所の温度が上昇し、不安全な状態となりかねないので、表示回路１０１に供給される供給電流を通常時よりも小さくしたり、表示回路１０１の動作を定期的あるいは不定期的に休止させたりすることができる。また、供給電流をどの程度通常時よりも小さくするか、あるいは、表示回路１０１の動作を休止させる時間をどの程度の長さ、間隔とするかは、基準電流値からの測定電流値の変化に応じて変化させてもよい。たとえば、基準電流値からの測定電流値の変化が大きければ、供給電流をより小さくし、あるいは、表示回路１０１の動作を休止させる時間をより長くし、また、より長い間隔とすることができる。
【００４７】
また、表示装置１００がデジタルテレビジョン受信機であり、インターネットなどのネットワークに接続されている場合には、所定のアドレス（例えば、表示装置１００の製造者の故障受付部門のサーバのアドレス）に、表示装置１００の表示回路１０１の異常が判定（検出）されたことを通知することができる。
【００４８】
また、表示装置１００に、録画機能が備わっていたり、録画装置が接続されていたりする場合には、表示回路１０１の動作を停止し、表示装置１００により視聴されるテレビ番組などの録画を開始し、別の表示装置１００などにより後に視聴できるようにしてもよい。
【００４９】
（実施形態２）
図６は、本発明の実施形態２として、異常検出時処理の別の一例を、説明するための図である。本実施形態においては、異常検出時処理においては、液晶パネル２０４のどの部分により異常が発生しているのかを検出する。そのために、ソース線２１１ｍに沿って、液晶パネル２０４を複数の領域に分割する（言い換えると、ソース線２１１ｍの間が隣接する領域の境界となるように分割する）。図６においては、液晶パネル２０４が、ソース線２１１ｍに沿って領域６０１、６０２、６０３および６０４に分割されている。
【００５０】
例えば、表示回路１０１にノーマリーブラックタイプの液晶パネルが使用されているとして、異常がない場合には、液晶パネル２０４の全体に所定階調の例えば黒色を表示処理するときの液晶パネル２０４への供給電流が２．８Ａとして基準電流値として電流値記憶部１０６に記憶されているとする。この場合、それぞれの領域６０１、６０２、６０３および６０４は、０．７Ａずつ消費するとすることが想定できる。
【００５１】
図６（Ａ）に示すように、領域６０３に配置された或るＴＦＴ６００に不具合が発生し、そのＴＦＴが接続されるゲート線２１２ｎおよびソース線２１１ｍと共通電極とに短絡が発生しているとし、所定階調の黒色の表示処理において、領域６０３が２．５Ａを消費するようになったとする。すると、液晶パネル２０４への供給電流は、２．８Ａから４．６Ａとなり、ステップＳ５０９において異常が判定され、異常検出時処理（ステップＳ５１０）が開始される。
【００５２】
異常検出時処理においては、制御回路１０７は、領域６０１、６０２、６０３および６０４に順次、所定階調の例えば白色の表示処理をする。たとえば、図６（Ｂ）に示すように、領域６０１への所定階調の白色の表示処理をし、他の領域へは、所定階調の黒色表示をするパターンの表示処理をする。図６（Ｂ）の場合、領域６０１への供給電流が０．８Ａになるとするとし、液晶パネル２０４への供給電流を測定すると、４．７Ａとして測定電流値が得られる。
【００５３】
次に、図６（Ｃ）に示すように、領域６０２への所定階調の白色の表示処理をし、他の領域へは、所定階調の黒色の表示処理をする。図６（Ｃ）の場合も図６（Ｂ）の場合と同様に、液晶パネル２０４への供給電流を測定すると、４．７Ａとして測定電流値が得られる。
【００５４】
次に、図６（Ｄ）に示すように、領域６０３への所定階調の白色の表示処理をし、他の領域へは、所定階調の黒色の表示処理をする。すると、ＴＦＴ６００においてソース線２１１ｍと共通電極がショートしているので、ソース線２１１ｍと共通電極との間を流れる電流が増加することにより、領域６０３の消費電流が２．５Ａから増加し３．８Ａとなり、液晶パネル２０４への供給電流を測定すると、５．９Ａとして測定電流が得られる。したがって、この段階で、領域６０３に異常があることが推測できる。
【００５５】
次に図６（Ｅ）に示すように、領域６０４への所定階調の白色の表示処理をし、他の領域には、所定階調の黒色の表示処理をする。図６（Ｅ）の場合も図６（Ｂ）および図６（Ｃ）の場合と同様に、液晶パネル２０４への供給電流を測定すると、４．７Ａとして測定電流値が得られる。
【００５６】
結論として、図６（Ｂ）、図６（Ｃ）、図６（Ｄ）および図６（Ｅ）のパターンが表示される際の測定電流値として、図６（Ｄ）の場合に最も大きな値が得られ、領域６０３に不具合があることが結論される。
【００５７】
この結論を液晶パネル２０４の製造者にフィードバックすることにより、領域６０３に不具合が発生したことにより、例えば、液晶パネルの製造工程において、領域６０３に対応する製造工程や製造装置の部分の劣化などが想定でき、液晶パネルの製造品質を上げることが可能となる。
【００５８】
なお、図６（Ｂ）、図６（Ｃ）、図６（Ｄ）および図６（Ｅ）のように、一部の領域への所定階調の白色の表示処理および他の領域への所定階調の黒色の表示処理は、異常検出時処理にのみの表示処理に限定されない。図５のステップＳ５０４においても、一部の領域への所定階調の白色の表示処理を行ない、他の領域へは所定階調の黒色の表示処理を行なうことを順次実行し、異常検出時処理に入る前に各領域の異常を判定することも可能である。
【００５９】
（実施形態３）
実施形態１および実施形態２においては、短絡の発生により、表示回路１０１への供給電力が保護回路の動作しない電流上昇が発生したかどうかに関し、基準電流値と測定電流値との比較を行なうことにより異常の判定を行なうことについて主に述べたが、断線の発生によって、表示回路１０１への供給電力が減少することも基準電流値と測定電流値との比較によって判定することもできる。
【符号の説明】
【００６０】
１００…表示装置、１０１…表示回路、１０２…電源回路、１０３…電流測定回路、１０４…パターン生成部、１０５…判定制御部、１０６…電流値記憶部、１０７…制御回路
【図１】
2018133631.tif 000003
【図２】
2018133631.tif 000004
【図３】
2018133631.tif 000005
【図４】
2018133631.tif 000006
【図５】
2018133631.tif 000007
【図６】
2018133631.tif 000008
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
電源回路と、該電源回路からの電力によって駆動される表示回路を有する表示装置であって、
前記電源回路から前記表示回路へ供給される供給電流の大きさを測定する電流測定回路と、
前記表示回路が表示処理する所定のパターンを生成するパターン生成部と、
前記パターン生成部により生成した前記所定のパターンを前記表示回路が表示処理した際に、前記電流測定回路で測定した測定電流値を基準電流値として予め記憶する電流値記憶部と、
前記表示回路の異常を判定する判定制御部と、
を備え、
前記判定制御部は、前記パターン生成部が生成する前記所定のパターンを前記表示回路に表示処理させ前記電流測定回路で測定される測定電流値と前記基準電流値とに基いて、前記表示回路の異常を判定することを特徴とする、表示装置。
【請求項２】
前記基準電流値は、前記表示装置の製造時における前記測定電流値である、請求項１に記載の表示装置。
【請求項３】
前記パターン生成部は、前記表示装置の電源投入操作時または電源切断操作時に前記表示回路が表示処理する前記所定のパターンを生成する、請求項１または２に記載の表示装置。
【請求項４】
前記表示回路は、液晶パネルを含む、請求項１から３のいずれか１に記載の表示装置。
【請求項５】
前記液晶パネルのソース線に沿って前記液晶パネルを複数の領域に分割し、１部の前記領域の諧調を所定の諧調で表示処理し、他の前記領域を前記所定の諧調とは異なる諧調で表示処理を行い、前記１部の前記領域を順次変更させて表示処理を行った際に、前記電流測定回路で測定される電流値と前記基準電流値とに基づいて、前記液晶パネルの異常を判定することを特徴とする、請求項４に記載の表示装置。
【請求項６】
前記パターン生成部は、前記液晶パネルに光を供給するバックライトが消灯している間に前記所定のパターンを生成する、請求項４または５に記載の表示装置。
【請求項７】
請求項１から６のいずれか一項に記載の表示装置を備える、テレビジョン受信機。
【請求項８】
電源回路と、該電源回路からの電力によって駆動される表示回路を有する表示装置の異常判定方法であって、
前記表示装置が、予め所定のパターンを前記表示回路に表示処理させた際に測定された前記電源回路から前記表示回路へ供給される供給電流の大きさを基準電流値として記憶するステップと、
前記表示装置が、前記所定のパターンを前記表示回路に表示処理させた際に測定された前記電源回路から前記表示回路へ供給される供給電流の測定値と前記基準電流値とに基いて前記表示回路の異常を判定する、ことを含む表示装置の異常判定方法。
【手続補正２】
【補正対象書類名】明細書
【補正対象項目名】０００７
【補正方法】変更
【補正の内容】
【０００７】
上記課題を解決するために、第１の技術手段は、電源回路と、該電源回路からの電力によって駆動される表示回路を有する表示装置であって、前記電源回路から前記表示回路へ供給される供給電流の大きさを測定する電流測定回路と、前記表示回路が表示処理する所定のパターンを生成するパターン生成部と、前記パターン生成部により生成した前記所定のパターンを前記表示回路が表示処理した際に、前記電流測定回路で測定した測定電流値を基準電流値として予め記憶する電流値記憶部と、前記表示回路の異常を判定する判定制御部と、を備え、前記判定制御部は、前記パターン生成部が生成する前記所定のパターンを前記表示回路に表示処理させ前記電流測定回路で測定される測定電流値と前記基準電流値とに基いて、前記表示回路の異常を判定することを特徴とする、表示装置である。
【手続補正３】
【補正対象書類名】明細書
【補正対象項目名】００１１
【補正方法】変更
【補正の内容】
【００１１】
第５の技術手段は、第４の技術手段において、前記液晶パネルのソース線に沿って前記液晶パネルを複数の領域に分割し、１部の前記領域の諧調を所定の諧調で表示処理し、他の前記領域を前記所定の諧調とは異なる諧調で表示処理を行い、前記１部の前記領域を順次変更させて表示処理を行った際に、前記電流測定回路で測定される電流値と前記基準電流値とに基づいて、前記液晶パネルの異常を判定することを特徴とする。
第６の技術手段は、第４または第５の技術手段において、前記パターン生成部は、前記液晶パネルに光を供給するバックライトが消灯している間に前記所定のパターンを前記液晶パネルに表示させることを特徴とする。
【手続補正４】
【補正対象書類名】明細書
【補正対象項目名】００１２
【補正方法】変更
【補正の内容】
【００１２】
第７の技術手段は、第１から第６のいずれかの技術手段のいずれかによる表示装置を備える、テレビジョン受信機である。
【手続補正５】
【補正対象書類名】明細書
【補正対象項目名】００１３
【補正方法】変更
【補正の内容】
【００１３】
第８の技術手段は、電源回路と、該電源回路からの電力によって駆動される表示回路を有する表示装置の異常判定方法であって、前記表示装置が、予め所定のパターンを前記表示回路に表示処理させた際に測定された前記電源回路から前記表示回路へ供給される供給電流の大きさを基準電流値として記憶するステップと、前記表示装置が、前記所定のパターンを前記表示回路に表示処理させた際に測定された前記電源回路から前記表示回路へ供給される供給電流の測定値と前記基準電流値とに基いて前記表示回路の異常を判定する、ことを含む表示装置の異常判定方法である。